(57)【要約】【課題】誰でも最適な商品提案書を作成できるようになること。【解決手段】各クライアントと、サーバとがネットワークに接続しているシステムであって、各クライアントにて商品提案書を作成させる手段と、各クライアントにて作成された各商品提案書に関する情報を、サーバに集約させる手段と、サーバに集約された商品提案書に関する情報を、サーバにて集計する手段と、サーバにて集計された商品提案書に関する情報を、各クライアントにて閲覧させる手段と、を備えることを特徴とする商品提案システム。【選択図】図１
2005018413.tif 000002
【特許請求の範囲】
【請求項１】
各クライアントと、サーバとがネットワークに接続しているシステムであって、
各クライアントにて商品提案書を作成させる手段と、
各クライアントにて作成された各商品提案書に関する情報を、サーバに集約させる手段と、
サーバに集約された商品提案書に関する情報を、サーバにて集計する手段と、サーバにて集計された商品提案書に関する情報を、各クライアントにて閲覧させる手段と、を備えることを特徴とする商品提案システム。
【請求項２】
各クライアントが接続しているネットワークに接続しているサーバであって、各クライアントにて作成された各商品提案書に関する情報を集約する機能と、
集約した商品提案に関する情報を集計する機能と、
集計した商品提案に関する情報を、各クライアントにて閲覧させる機能と、を有することを特徴とする商品提案サーバ。
【請求項３】
各クライアントと、サーバとがネットワークに接続しているシステムが実行する方法であって、
各クライアントにて商品提案書を作成させる工程と、
各クライアントにて作成された各商品提案書に記載の商品提案情報を、サーバに集約させる工程と、
サーバに集約された商品提案情報を、サーバにて集計する工程と、
サーバにて集計された商品提案情報を、各クライアントにて閲覧させる工程と、を含むことを特徴とする商品提案方法。
【請求項４】
各クライアントが接続しているネットワークに接続しているサーバが実行する方法であって、
各クライアントにて作成された各商品提案書に記載の商品提案情報を集約する工程と、
集約した商品提案情報を集計する工程と、
集計した商品提案情報を、各クライアントにて閲覧させる工程と、を含むことを特徴とする商品提案方法。
【発明の詳細な説明】
【０００１】
【発明の属する技術分野】
本発明は、商品提案システム、サーバ及び方法に関する。
【０００２】
【従来の技術】
従来の商品提案書作成は、用紙への商品カタログの切り貼りが基本となっていた。
【０００３】
【発明が解決しようとする課題】
従って、従来の商品提案書作成では、手作業が多く、コンピュータによる情報の管理が困難であったため、遠隔地にいる商品提案者の「提案商品」や「提案頻度」等の商品提案書に関する情報を得ることは容易でなかった。
【０００４】
一般に、他人の商品提案書に関する情報は自分に有益であるし、また自分の商品提案書に関する情報は他人にも参考になる。
【０００５】
しかしながら、他人の商品提案書に関する情報を得るには、「電話による情報収集」、「商品提案書の郵送・集約」、「内容の目視確認」、「商品の確認」等の実作業が発生してしまう。
【０００６】
他人の商品提案書に関する情報は、商品提案書を作成する上で誰にとっても有益な情報であるが、この他人の商品提案書に関する情報を解析することは現実には不可能であった。
【０００７】
このため、商品提案書の内容は、商品提案書を作成する個々人の知識に左右されてしまい、必ずしも最適な商品提案書を作成することが出来なかった。
【０００８】
本発明は係る従来技術の欠点に鑑みてなされたもので、誰でも最適な商品提案書を作成できるようになることを課題とする。
【０００９】
【課題を解決するための手段】
本発明において上記の課題を達成するために、まず請求項１の発明では、各クライアントと、サーバとがネットワークに接続しているシステムであって、
各クライアントにて商品提案書を作成させる手段と、
各クライアントにて作成された各商品提案書に関する情報を、サーバに集約させる手段と、
サーバに集約された商品提案書に関する情報を、サーバにて集計する手段と、サーバにて集計された商品提案書に関する情報を、各クライアントにて閲覧させる手段と、を備えることを特徴とする商品提案システムとしたものである。
【００１０】
また請求項２の発明では、各クライアントが接続しているネットワークに接続しているサーバであって、
各クライアントにて作成された各商品提案書に関する情報を集約する機能と、
集約した商品提案に関する情報を集計する機能と、
集計した商品提案に関する情報を、各クライアントにて閲覧させる機能と、を有することを特徴とする商品提案サーバとしたものである。
【００１１】
また請求項３の発明では、各クライアントと、サーバとがネットワークに接続しているシステムが実行する方法であって、
各クライアントにて商品提案書を作成させる工程と、
各クライアントにて作成された各商品提案書に記載の商品提案情報を、サーバに集約させる工程と、
サーバに集約された商品提案情報を、サーバにて集計する工程と、
サーバにて集計された商品提案情報を、各クライアントにて閲覧させる工程と、を含むことを特徴とする商品提案方法としたものである。
【００１２】
また請求項４の発明では、各クライアントが接続しているネットワークに接続しているサーバが実行する方法であって、
各クライアントにて作成された各商品提案書に記載の商品提案情報を集約する工程と、
集約した商品提案情報を集計する工程と、
集計した商品提案情報を、各クライアントにて閲覧させる工程と、を含むことを特徴とする商品提案方法としたものである。
【００１３】
【発明の実施の形態】
以下に、本発明の実施形態を説明する。
【００１４】
本実施形態では、図１に示すように、一つ又は複数のクライアントと呼ばれるコンピュータと、一つのサーバと呼ばれるコンピュータとがネットワークに接続しているシステムを設ける。
【００１５】
ネットワークは、各クライアントとサーバとの間でデータ通信が可能であれば、その種類や形態に特に制限は無く、例えば、ＬＡＮやインターネットや専用回線でも良く、また、途中で光通信や無線通信が行なわれるものであっても良い。
【００１６】
各クライアントには、商品提案書を作成するためのアプリケーションソフトウェアがインストールされている。
【００１７】
作成された商品提案書に関する情報は、一操作で、クライアントからサーバに集約される。ここで、集約とは、サーバが、商品提案書に関する情報をクライアントから受け取り蓄積することである。
【００１８】
サーバは、各クライアントから集約された商品提案書に関する情報を、「地区別」、「担当別」、「季節別」、「営業者別」など様々な切り口（角度）で集計し、集計した商品提案書に関する情報を公開する。
【００１９】
ここで、集計した商品提案書に関する情報を公開するとは、各クライアントにて、各商品提案者の必要とする内容で、集計した商品提案書に関する情報を閲覧可能することである。
【００２０】
【発明の効果】
本発明は、様々な商品提案者が作成した多数の商品提案書に関する情報を、様々な切り口（角度）で集計したものを、参考しながら商品提案書を作成することができるという効果がある。従って、本発明は、商品提案書を作成する個々人の知識に左右されること無く、最適な商品提案書を作成することが可能になるという効果がある。
【００２１】
また本発明は、商品提案書に記載の提案商品を集計することにより、人気商品を割り出すことが容易になり、次期新商品開発の情報源となるという効果がある。
【００２２】
また本発明は、各個人の商品提案書の作成数を集計することにより、商品提案書に関する各個人のスキルや作成速度などが把握でき、人員配置の情報源となるという効果がある。
【００２３】
また本発明は、商品提案書のフォーマットを統一することにより、より一貫した商品提案体制をとることができるという効果がある。
【図面の簡単な説明】
【図１】本発明システムの構成を例示する図。
【図１】
2005018413.tif 000003